(57)【特許請求の範囲】
【請求項１】
第１の装置による無線通信のための方法であって、
現在のチャネル推定値を取得することと、
第２の装置へ通信された最近のチャネル推定値を取得することと、
前記現在のチャネル推定値又は前記最近のチャネル推定値に少なくとも基づいて第１のメトリックを計算することであって、前記第１のメトリックは、チャネル状態情報（ＣＳＩ）更新が前記第２の装置へ送信されるべきかを判定するために用いられる、計算することと、
前記第１のメトリック及び予め定められた基準に少なくとも部分的に基づいて、前記ＣＳＩ更新を前記第２の装置へ送信することを決定することであって、前記ＣＳＩ更新を送信することを決定することは、チャネルの信号対雑音比（ＳＮＲ）及び前記第１のメトリックに基づいて第２のメトリックを計算することと、前記第２のメトリックに基づいて、前記ＣＳＩ更新が前記第２の装置へ送信されるべきであるかを決定することとを備える、決定することと、
前記第２のメトリックを前記第２の装置へ送信することと
を備える方法。
【請求項２】
前記第２の装置からの要求メッセージを受信することと、
前記要求メッセージに応答して、前記第１のメトリックを前記第２の装置へ送信することと
を更に備える、請求項１に記載の方法。
【請求項３】
無線通信のための装置であって、
現在のチャネル推定値を取得するように構成された推定器であって、他の装置へ通信された最近のチャネル推定値を取得するようにも構成された推定器と、
前記現在のチャネル推定値又は前記最近のチャネル推定値に少なくとも基づいて第１のメトリックを計算するように構成された回路であって、前記第１のメトリックは、チャネル状態情報（ＣＳＩ）更新が前記他の装置へ送信されるべきかを判定するために用いられる、回路と、
前記第１のメトリック及び予め定められた基準に少なくとも部分的に基づいて、前記ＣＳＩ更新を前記他の装置へ送信することを決定するように構成された別の回路であって、前記別の回路はまた、チャネルの信号対雑音比（ＳＮＲ）及び前記第１のメトリックに基づいて第２のメトリックを計算し、前記第２のメトリックに基づいて、前記ＣＳＩ更新が前記他の装置へ送信されるべきかを決定するようにも構成された、別の回路と、
前記第２のメトリックを前記他の装置へ送信するように構成された送信機と、
を備える装置。
【請求項４】
前記他の装置からの要求メッセージを受信するように構成された受信機と、
前記要求メッセージに応答して、前記第１のメトリックを前記他の装置へ送信するように構成された送信機と
を更に備える、請求項３に記載の装置。
【請求項５】
無線通信のための装置であって、
現在のチャネル推定値を取得するための手段と、
他の装置へ通信された最近のチャネル推定値を取得するための手段と、
前記現在のチャネル推定値又は前記最近のチャネル推定値に少なくとも基づいて第１のメトリックを計算するための手段であって、前記第１のメトリックは、チャネル状態情報（ＣＳＩ）更新が前記他の装置へ送信されるべきかを判定するために用いられる、計算するための手段と、
前記第１のメトリック及び予め定められた基準に少なくとも部分的に基づいて、前記ＣＳＩ更新を前記他の装置へ送信することを決定するための手段であって、前記ＣＳＩ更新を送信することを決定するための手段は、チャネルの信号対雑音比（ＳＮＲ）及び前記第１のメトリックに基づいて第２のメトリックを計算するための手段と、前記第２のメトリックに基づいて、前記ＣＳＩ更新が前記他の装置へ送信されるべきかを決定するための手段とを備える、決定するための手段と、
前記第２のメトリックを前記他の装置へ送信するための手段と
を備える装置。
【請求項６】
前記他の装置からの要求メッセージを受信するための手段と、
前記要求メッセージに応答して、前記他の装置へ前記第１のメトリックを送信するための手段と
を更に備える、請求項５に記載の装置。
【請求項７】
第１の装置による無線通信のためのコンピュータ読取可能記憶媒体であって、
現在のチャネル推定値を取得することと、
第２の装置へ通信された最近のチャネル推定値を取得することと、
前記現在のチャネル推定値又は前記最近のチャネル推定値に少なくとも基づいて第１のメトリックを計算することであって、前記第１のメトリックは、チャネル状態情報（ＣＳＩ）更新が前記第２の装置へ送信されるべきかを判定するために用いられる、計算することと、
前記第１のメトリック及び予め定められた基準に少なくとも部分的に基づいて、前記ＣＳＩ更新を前記第２の装置へ送信することを決定することであって、前記ＣＳＩ更新を送信することを決定することは、チャネルの信号対雑音比（ＳＮＲ）及び前記第１のメトリックに基づいて第２のメトリックを計算し、前記第２のメトリックに基づいて、前記ＣＳＩ更新が前記第２の装置へ送信されるべきであるかを決定することを備える、決定することと、
前記第２のメトリックを前記第２の装置へ送信することと
を行うように実行可能な命令を備えるコンピュータ読取可能記憶媒体。
【請求項８】
少なくとも１つのアンテナと、
現在のチャネル推定値を取得するように構成された推定器であって、アクセス・ポイントへ通信された最近のチャネル推定値を取得するようにも構成された推定器と、
前記現在のチャネル推定値又は前記最近のチャネル推定値に少なくとも基づいて第１のメトリックを計算するように構成された回路であって、前記第１のメトリックは、チャネル状態情報（ＣＳＩ）更新が前記少なくとも１つのアンテナを介して前記アクセス・ポイントへ送信されるべきかを判定するために用いられる、回路と、
前記第１のメトリック及び予め定められた基準に少なくとも部分的に基づいて、前記ＣＳＩ更新を前記アクセス・ポイントへ送信することを決定するように構成された別の回路であって、前記別の回路はまた、チャネルの信号対雑音比（ＳＮＲ）及び前記第１のメトリックに基づいて第２のメトリックを計算し、前記第２のメトリックに基づいて、前記ＣＳＩ更新が前記アクセス・ポイントへ送信されるべきかを決定するようにも構成された、別の回路と、
前記第２のメトリックを前記アクセス・ポイントへ送信するように構成された送信機と
を備える無線ノード。
【発明の詳細な説明】
【技術分野】
【０００１】
[優先権の主張]
本願は、本願の譲受人に譲渡され、参照によって本願に明確に組み込まれた、２００９年９月２２日出願の“Physical Layer Metrics to Support Adaptive Station-Dependent Channel State Information Feedback Rate in Multi-User Communication Systems”と題された米国特許仮出願第６１／２４４５２８号、及び２０１０年２月１６日出願の“Physical Layer Metrics to Support Adaptive Station-Dependent Channel State Information Feedback Rate in Multi-User Communication Systems”と題された米国特許仮出願第６１／３０４９２９号の利益を主張する。
【０００２】
[技術分野]
本開示のある態様は、一般に無線通信に関し、特に、マルチユーザ通信システムにおける適応可能な局依存チャネル状態情報フィードバック・レートをサポートするための物理層メトリックを設計することに関する。
【背景技術】
【０００３】
[背景]
無線通信システムのために必要な対域幅要件の増加の問題に対処するために、高いデータ・スループットを達成しながらチャネル・リソースを共有することによって、複数のユーザ端末が単一のアクセス・ポイント（ＡＰ）と通信することを可能にするための様々なスキームが開発されている。複数入力複数出力（ＭＩＭＯ）技術は、次世代通信システムのための一般的な技術として近年現れたそのようなアプローチのうちの１つを表す。ＭＩＭＯ技術は、例えば電気電子技術者協会（ＩＥＥＥ）８０２．１１規格のようないくつかの新興の無線通信規格において適用されている。ＩＥＥＥ８０２．１１は、短距離通信（例えば、数十メートルから数百メートル）のための、ＩＥＥＥ８０２．１１委員会によって開発された無線ローカル・エリア・ネットワーク（ＷＬＡＮ）エア・インタフェース規格のセットを示す。
【０００４】
ＭＩＭＯ無線システムは、データ送信のために複数（ＮＴ個）の送信アンテナ及び複数（ＮＲ個）の受信アンテナを用いる。ＮＴ個の送信アンテナ及びＮＲ個の受信アンテナによって形成されたＭＩＭＯチャネルは、ＮＳ個の空間ストリームに分解されうる。この場合、全ての実用目的に関して、ＮＳ≦ｍｉｎ｛ＮＴ，ＮＲ｝である。ＮＳ個の空間ストリームは、より高い全体スループットを達成するために、ＮＳ個の個々のデータ・ストリームを送信するために用いられうる。
【０００５】
単一のアクセス・ポイント及び複数の局を有する無線ネットワークにおいて、アップリンク（ＵＬ）方向及びダウンリンク（ＤＬ）方向の両方において、異なる局に向かう複数のチャネル上での同時送信が発生しうる。そのようなシステムにおいては、多くの困難が生じる。例えば、アクセス・ポイントは、例えばＩＥＥＥ８０２．１１ｎ／ａ／ｂ／ｇ規格又はＩＥＥＥ８０２．１１ａｃ規格のような異なる規格を用いて信号を送信することができる。受信機は、パケットのプレアンブルに含まれた情報に基づいて信号の送信モードを検出することができなければならない。
【発明の概要】
【０００６】
本開示のある態様は、第１の装置による無線通信のための方法を提供する。方法は一般に、現在のチャネル推定値を取得することと、第２の装置へ通信された最近のチャネル推定値を取得することと、現在のチャネル推定値又は最近のチャネル推定値に少なくとも基づいて第１のメトリック(metric)を計算することとを含み、第１のメトリックは、チャネル状態情報（ＣＳＩ:channel state information）更新が第２の装置へ送信されるべきかを判定するために用いられる。
【０００７】
本開示のある態様は、無線通信のための装置を提供する。装置は一般に、現在のチャネル推定値を取得するように構成された推定器であって他の装置へ通信された最近のチャネル推定値を取得するようにも構成された推定器と、現在のチャネル推定値又は最近のチャネル推定値に少なくとも基づいて第１のメトリックを計算するように構成された回路とを含み、第１のメトリックは、チャネル状態情報（ＣＳＩ）更新が他の装置へ送信されるべきかを判定するために用いられる。
【０００８】
本開示のある態様は、無線通信のための装置を提供する。装置は一般に、現在のチャネル推定値を取得するための手段と、他の装置へ通信された最近のチャネル推定値を取得するための手段と、現在のチャネル推定値又は最近のチャネル推定値に少なくとも基づいて第１のメトリックを計算するための手段とを含み、第１のメトリックは、チャネル状態情報（ＣＳＩ）更新が他の装置へ送信されるべきかを判定するために用いられる。
【０００９】
本開示のある態様は、無線通信のためのコンピュータ・プログラム製品を提供する。コンピュータ・プログラム製品は、現在のチャネル推定値を取得し、第２の装置へ送信された最近のチャネル推定値を取得し、現在のチャネル推定値又は最近のチャネル推定値に少なくとも基づいて第１のメトリックを計算するように実行可能な命令を備えるコンピュータ読取可能媒体を含み、第１のメトリックは、チャネル状態情報（ＣＳＩ）更新が第２の装置へ送信されるべきかを判定するために用いられる。
【００１０】
本開示のある態様は、無線ノードを提供する。無線ノードは一般に、少なくとも１つのアンテナと、現在のチャネル推定値を取得するように構成され、アクセス・ポイントへ通信された最近のチャネル推定値を取得するようにも構成された推定器と、現在のチャネル推定値又は最近のチャネル推定値に少なくとも基づいて第１のメトリックを計算するように構成された回路とを含み、第１のメトリックは、チャネル状態情報（ＣＳＩ）更新が少なくとも１つのアンテナを介してアクセス・ポイントへ送信されるべきかを判定するために用いられる。
【００１１】
本開示のある態様は、無線通信のための方法を提供する。方法は一般に、装置からの最近のチャネル推定値及び現在のチャネル推定値を取得することと、現在のチャネル推定値又は最近のチャネル推定値に少なくとも基づいて第１のメトリックを計算することとを含み、第１のメトリックは、装置からのチャネル状態情報（ＣＳＩ）更新が要求されるべきかを判定するために用いられる。
【００１２】
本開示のある態様は、無線通信のための装置を提供する。装置は一般に、他の装置からの最近のチャネル推定値及び現在のチャネル推定値を取得するように構成された受信機と、現在のチャネル推定値又は最近のチャネル推定値に少なくとも基づいて第１のメトリックを計算するように構成された回路とを含み、第１のメトリックは、他の装置からのチャネル状態情報（ＣＳＩ）更新が要求されるべきかを判定するために用いられる。
【００１３】
本開示のある態様は、無線通信のための装置を提供する。装置は一般に、他の装置からの最近のチャネル推定値及び現在のチャネル推定値を取得するための手段と、現在のチャネル推定値又は最近のチャネル推定値に少なくとも基づいて第１のメトリックを計算するための手段とを含み、第１のメトリックは、他の装置からのチャネル状態情報（ＣＳＩ）更新が要求されるべきかを判定するために用いられる。
【００１４】
本開示のある態様は、無線通信のためのコンピュータ・プログラム製品を提供する。コンピュータ・プログラム製品は、装置からの最近のチャネル推定値及び現在のチャネル推定値を取得し、現在のチャネル推定値又は最近のチャネル推定値に少なくとも基づいて第１のメトリックを計算するように実行可能な命令を備えるコンピュータ読取可能媒体を含み、第１のメトリックは、装置からのチャネル状態情報（ＣＳＩ）更新が要求されるべきかを判定するために用いられる。
【００１５】
本開示のある態様は、アクセス・ポイントを提供する。アクセス・ポイントは一般に、少なくとも１つのアンテナと、少なくとも１つのアンテナを介して無線ノードからの最近のチャネル推定値及び現在のチャネル推定値を取得するように構成された受信機と、現在のチャネル推定値又は最近のチャネル推定値に少なくとも基づいて第１のメトリックを計算するように構成された回路とを含み、第１のメトリックは、無線ノードからのチャネル状態情報（ＣＳＩ）更新が要求されるべきかを判定するために用いられる。
【図面の簡単な説明】
【００１６】
本開示の上記特徴が詳しく理解されるように、上記で簡単に概略された説明のより具体的な説明が、そのうちのいくつかが添付図面に示された態様を参照することによって示される。しかし、添付図面は、本開示のある典型的な態様しか示さず、本説明は、他の同等の効果をもたらす態様を認めるので、本開示を限定することは考慮されていない。
【図１】図１は、本開示のある態様に従って無線通信ネットワークの図を示す。
【図２】図２は、本開示のある態様に従ってアクセス・ポイント及びユーザ端末の例のブロック図を示す。
【図３】図３は、本開示のある態様に従って無線デバイスの例のブロック図を示す。
【図４】図４は、本開示のある態様に従って、異種チャネル状態情報（ＣＳＩ）フィードバックのための２ステップ媒体アクセス制御（ＭＡＣ）プロトコルを示す。
【図５】図５は、本開示のある態様に従って、異種ＣＳＩフィードバックのための２ステップＭＡＣプロトコルのためにアクセス・ポイントによって実行されうる動作の例を示す。
【図５Ａ】図５Ａは、図５に示す動作を実行することができる構成要素の例を示す。
【図６】図６は、本開示のある態様に従って、異種ＣＳＩフィードバックのための２ステップＭＡＣプロトコルのために局によって実行されうる動作の例を示す。
【図６Ａ】図６Ａは、図６に示す動作を実行することができる構成要素の例を示す。
【図７】図７は、本開示のある態様に従って、決定性バックオフ・タイマに基づいた異種ＣＳＩフィードバックのためのＭＡＣプロトコルを示す。
【図８】図８は、本開示のある態様に従って、決定性バックオフ・タイマに基づいた異種ＣＳＩフィードバックのためのＭＡＣプロトコルのためにアクセス・ポイントによって実行されうる動作の例を示す。
【図８Ａ】図８Ａは、図８に示す動作を実行することができる構成要素の例を示す。
【図９】図９は、本開示のある態様に従って、決定性バックオフ・タイマに基づいた異種ＣＳＩフィードバックのためのＭＡＣプロトコルのために局によって実行されうる動作の例を示す。
【図９Ａ】図９Ａは、図９に示す動作を実行することができる構成要素の例を示す。
【図１０】図１０は、本開示のある態様に従って、局のポーリングに基づいた異種ＣＳＩフィードバックのためのＭＡＣプロトコルを示す。
【図１１】図１１は、本開示のある態様に従って、局のポーリングに基づいた異種ＣＳＩフィードバックのためのＭＡＣプロトコルのためにアクセス・ポイントによって実行されうる動作の例を示す。
【図１１Ａ】図１１Ａは、図１１に示す動作を実行することができる構成要素の例を示す。
【図１２】図１１は、本開示のある態様に従って、局のポーリングに基づいた異種ＣＳＩフィードバックのためのＭＡＣプロトコルのために局によって実行されうる動作の例を示す。
【図１２Ａ】図１２Ａは、図１２に示す動作を実行することができる構成要素の例を示す。
【図１３】図１３は、本開示のある態様に従って、局によって実行されうる異種ＣＳＩフィードバックをサポートするための物理層メトリックを計算するための動作の例を示す。
【図１３Ａ】図１３Ａは、図１３に示す動作を実行することができる構成要素の例を示す。
【図１４】図１４は、本開示のある態様に従って、アクセス・ポイントによって実行されうる異種ＣＳＩフィードバックをサポートするための物理層メトリックを計算するための動作の例を示す。
【図１４Ａ】図１４Ａは、図１４に示す動作を実行することができる構成要素の例を示す。
【詳細な説明】
【００１７】
本開示のある態様の様々な態様が以下で説明される。本明細書における教示は、広く様々な形式において具現化されることができ、本明細書において開示された任意の特定の構成、機能、又はその両方は、単なる典型例にすぎないことが明らかであるべきである。本明細書の教示に基づいて、当業者は、本明細書に開示された態様が他の任意の態様から独立して実現されうること、及びそれらの態様のうちの２つ以上が様々な方法で結合されうることを理解するべきである。例え、本明細書に記載された態様のうちの任意の数の態様を用いて装置が実装される又は方法が実施されることができる。また、本明細書に記載された態様のうちの１つまたは複数以外に、あるいはそれらに加えて、他の構成、機能、又は構成及び機能を用いて、そのような装置が実装される又はそのような方法が実施されることができる。更に、態様は、特許請求の範囲の少なくとも１つの要素を備えることができる。
【００１８】
「典型的な」という用語は、本明細書において、「例、実例、又は例証を提供する」ことを意味するように用いられる。本明細書で「典型的」として説明された態様はいずれも、必ずしも他の態様に対して好適又は有利であるとして解釈されない。また本明細書において用いられる場合、「レガシ局」という用語は一般に、８０２．１１ｎ又はそれ以前の電気電子技術者協会（ＩＥＥＥ）８０２．１１規格をサポートする無線ネットワーク・ノードを称する。
【００１９】
本明細書で説明されるマルチアンテナ送信技術は、例えば符号分割多元接続（ＣＤＭＡ）、直交周波数分割多重（ＯＦＤＭ）、時分割多元接続（ＴＤＭＡ）、空間分割多元接続（ＳＤＭＡ）等のような様々な無線技術と組み合わせて用いられうる。複数ユーザ端末は、（１）ＣＤＭＡの場合、異なる直交符号チャネル、（２）ＴＤＭＡの場合、異なる時間スロット、又は（３）ＯＦＤＭの場合、異なるサブバンド、を介してデータを同時に送信／受信することができる。ＣＤＭＡシステムは、ＩＳ−２０００規格、ＩＳ−９５規格、ＩＳ−８５６規格、広帯域ＣＤＭＡ（Ｗ−ＣＤＭＡ）規格、又は他のいくつかの規格を実現することができる。ＯＦＤＭシステムは、ＩＥＥＥ８０２．１１規格又は他のいくつかの規格を実現することができる。ＴＤＭＡシステムは、ＧＳＭ（登録商標）規格又は他のいくつかの規格を実現することができる。これら様々な規格は、当該技術において周知である。
【００２０】
（ＭＩＭＯシステムの例）
図１は、アクセス・ポイント及びユーザ端末を有する複数アクセスＭＩＭＯシステム１００を示す。簡略化のために、図１には１つのアクセス・ポイント１１０しか示されない。アクセス・ポイント（ＡＰ）は一般に、ユーザ端末と通信する固定局であり、基地局又は他の何らかの用語として称されることもできる。ユーザ端末は固定式又はモバイル式であり、モバイル局、局（ＳＴＡ）、クライアント、無線デバイス、又は他の何らかの用語として称されることもできる。ユーザ端末は、例えばセルラ電話、パーソナル・デジタル・アシスタント（ＰＤＡ）、ハンドヘルド・デバイス、無線モデム、ラップトップ・コンピュータ、パーソナル・コンピュータ等のような無線デバイスであることができる。
【００２１】
アクセス・ポイント１１０は、任意の所与の瞬間に、ダウンリンク及びアップリンクにおいて１つ又は複数のユーザ端末１２０と通信することができる。ダウンリンク（すなわち、順方向リンク）は、アクセス・ポイントからユーザ端末への通信リンクであり、アップリンク（すなわち、逆方向リンク）は、ユーザ端末からアクセス・ポイントへの通信リンクである。ユーザ端末は、別のユーザ端末とピア・ツー・ピアで通信することもできる。システム・コントローラ１３０は、アクセス・ポイントに結合し、アクセス・ポイントのための調整及び制御を提供する。
【００２２】
システム１００は、ダウンリンク及びアップリンクにおけるデータ送信のために複数の送信アンテナ及び複数の受信アンテナを用いる。アクセス・ポイント１１０は、Ｎａｐ個の数のアンテナを備え、ダウンリンク送信のための複数入力（ＭＩ）及びアップリンク送信のための複数出力（ＭＯ）を表す。選択されたユーザ端末１２０のセットＮｕは、ダウンリンク送信のための複数出力及びアップリンク（ＵＬ）送信のための複数入力を集合的に表す。ある場合において、Ｎｕ個のユーザ端末のためのデータ・シンボル・ストリームが、いくつかの手段によって符号、周波数、又は時間において多重化されていない場合、Ｎａｐ≧Ｎｕ≧１であることが望ましい。データ・シンボル・ストリームが、ＣＤＭＡの場合、異なる符合チャネル、ＯＦＤＭの場合、サブバンドの互いに素な集合等を用いて多重化されうる場合、ＮｕはＮａｐよりも大きくなりうる。各選択されたユーザ端末は、ユーザ指定データをアクセス・ポイントへ送信する、及び／又は、アクセス・ポイントからのユーザ指定データを受信する。一般に、各選択されたユーザ端末は、１つ又は複数のアンテナを備えることができる（すなわち、Ｎｕｔ≧１）。Ｎｕ個の選択されたユーザ端末は、同一の数又は異なる数のアンテナを有することができる。
【００２３】
ＭＩＭＯシステム１００は、時分割二重（ＴＤＤ）システム又は周波数分割二重（ＦＤＤ）システムであることができる。ＴＤＤシステムの場合、ダウンリンク及びアップリンクは同一の周波数対域を共有する。ＦＤＤシステムの場合、ダウンリンク及びアップリンクは異なる周波数帯域を用いる。ＭＩＭＯシステム１００は、送信のために単一の搬送波又は複数の搬送波を用いることもできる。各ユーザ端末は、（例えば、コスト削減のために）単一のアンテナ、又は（例えば、追加のコストがサポートされうる場合）複数のアンテナを備えることができる。
【００２４】
図２は、ＭＩＭＯシステム１００におけるアクセス・ポイント１１０及び２つのユーザ端末１２０ｍ及び１２０ｘのブロック図を示す。アクセス・ポイント１１０は、Ｎａｐ個のアンテナ２２４ａ乃至２２４ａｐを備える。ユーザ端末１２０ｍは、Ｎｕｔ，ｍ個のアンテナ２５２ｍａ乃至２５２ｍｕを備え、ユーザ端末１２０ｘは、Ｎｕｔ，ｘ個のアンテナ２５２ｘａ乃至２５２ｘｕを備える。アクセス・ポイント１１０は、ダウンリンクのための送信エンティティかつアップリンクのための受信エンティティである。各ユーザ端末１２０は、アップリンクのための送信エンティティかつダウンリンクのための受信エンティティである。本明細書において用いられる場合、「送信エンティティ」は、周波数チャネルを介してデータを送信することができる、独立して機能する装置又はデバイスであり、「受信エンティティ」は、周波数チャネルを介してデータを受信することができる、独立して機能する装置又はデバイスである。以下の説明において、下付き文字「ｄｎ」はダウンリンクを示し、下付き文字「ｕｐ」はアップリンクを示し、アップリンクにおける同時送信のためにＮｕｐ個のユーザ端末が選択され、ダウンリンクにおける同時送信のためにＮｄｎ個のユーザ端末が選択され、ＮｕｐとＮｄｎとは等しい又は等しくないことができ、Ｎｕｐ及びＮｄｎは、固定値である又は各スケジューリング間隔について変化することができる。ビーム・ステアリング又は他の何らかの空間処理技術が、アクセス・ポイント及びユーザ端末において用いられうる。
【００２５】
アップリンクにおいて、アップリンク送信のために選択された各ユーザ端末１２０において、ＴＸデータ・プロセッサ２８８は、データ・ソース２８６からのトラヒック・データ及びコントローラ２８０からの制御データを受信する。ＴＸデータ・プロセッサ２８８は、そのユーザ端末のために選択されたレートに関連付けられたコーディング及び変調スキームに基づいて、ユーザ端末のためのトラヒック・データ｛ｄｕｐ，ｍ｝を処理（例えば、符号化、インタリーブ、及び変調）し、データ・シンボル・ストリーム｛ｓｕｐ，ｍ｝を提供する。ＴＸ空間プロセッサ２９０は、データ・シンボル・ストリーム｛ｓｕｐ，ｍ｝に空間処理を実行し、Ｎｕｔ，ｍ個のアンテナのためのＮｕｔ，ｍ個の送信シンボル・ストリームを提供する。各送信機ユニット（ＴＭＴＲ）２５４は、それぞれの送信シンボル・ストリームを受信及び処理（例えば、アナログ変換、増幅、フィルタ、及び周波数アップコンバート）し、アップリンク信号を生成する。Ｎｕｔ，ｍ個の送信機ユニット２５４は、Ｎｕｔ，ｍ個のアンテナ２５２からアクセス・ポイント１１０へ送信するためのＮｕｔ，ｍ個のアップリンク信号を提供する。
【００２６】
Ｎｕｐ個の数のユーザ端末が、アップリンクにおける同時送信のためにスケジュールされうる。それらのユーザ端末の各々は、自身のデータ・シンボル・ストリームに空間処理を実行し、自身の送信シンボル・ストリームのセットをアップリンクにおいてアクセス・ポイントへ送信する。
【００２７】
アクセス・ポイント１１０において、Ｎａｐ個のアンテナ２２４ａ乃至２２４ａｐは、アップリンクにおいて送信しているＮｕｐ個のユーザ端末全てからのアップリンク信号を受信する。各アンテナ２２４は、受信信号をそれぞれの受信機ユニット（ＲＣＶＲ）２２２へ提供する。各受信機ユニット２２２は、送信機ユニット２５４によって実行された処理と相補的な処理を実行し、受信シンボル・ストリームを提供する。ＲＸ空間プロセッサ２４０は、Ｎａｐ個の受信機ユニット２２２からのＮａｐ個の受信シンボル・ストリームに受信機空間処理を実行し、Ｎｕｐ個の復元されたアップリンク・データ・シンボル・ストリームを提供する。受信機空間処理は、チャネル相関マトリクス反転（ＣＣＭＩ）、最小平均２乗誤差（ＭＭＳＥ）、逐次干渉除去（ＳＩＣ）、又は他の何らかの技術に従って実行される。各復元されたアップリンク・データ・シンボル・ストリーム｛ｓｕｐ，ｍ｝は、それぞれのユーザ端末によって送信されたデータ・シンボル・ストリーム｛ｓｕｐ，ｍ｝の推定値である。ＲＸデータ・プロセッサ２４２は、そのストリームのために用いられたレートに従って、各復元されたアップリンク・データ・シンボル・ストリーム｛ｓｕｐ，ｍ｝を処理（例えば、復調、デインタリーブ、及び復号）し、復号されたデータを取得する。各ユーザ端末のための復号されたデータは、格納のためにデータ・シンク２４４へ提供される、及び／又は更なる処理のためにコントローラ２３０へ提供されることができる。
【００２８】
ダウンリンクにおいて、アクセス・ポイント１１０において、ＴＸデータ・プロセッサ２１０は、ダウンリンク送信のためにスケジュールされたＮｄｎ個のユーザ端末のためのデータ・ソース２０８からのトラヒック・データ、コントローラ２３０からの制御データ、及び場合によってはスケジューラ２３４からの他のデータを受信する。様々なタイプのデータが、異なるトランスポート・チャネルにおいて送信されうる。ＴＸデータ・プロセッサ２１０は、各ユーザ端末のために選択されたレートに基づいて、そのユーザ端末のためのトラヒック・データを処理（例えば、符号化、インタリーブ、及び変調）する。ＴＸデータ・プロセッサ２１０は、Ｎｄｎ個のユーザ端末のためのＮｄｎ個のダウンリンク・データ・シンボル・ストリームを提供する。ＴＸ空間プロセッサ２２０は、Ｎｄｎ個のダウンリンク・データ・シンボル・ストリームに空間処理を実行し、Ｎａｐ個のアンテナのためのＮａｐ個の送信シンボル・ストリームを提供する。各送信機ユニット（ＴＭＴＲ）２２２は、ダウンリンク信号を生成するために、それぞれの送信シンボル・ストリームを受信及び処理する。Ｎａｐ個の送信機ユニット２２２は、Ｎａｐ個のアンテナ２２４からユーザ端末へ送信するためのＮａｐ個のダウンリンク信号を提供する。
【００２９】
各ユーザ端末１２０において、Ｎｕｔ，ｍ個のアンテナ２５２は、アクセス・ポイント１１０からのＮａｐ個のダウンリンク信号を受信する。各受信機ユニット（ＲＣＶＲ）２５４は、関連付けられたアンテナ２５２からの受信信号を処理し、受信シンボル・ストリームを提供する。ＲＸ空間プロセッサ２６０は、Ｎｕｔ，ｍ個の受信機ユニット２５４からのＮｕｔ，ｍ個の受信シンボル・ストリームに受信機空間処理を実行し、ユーザ端末のための復元されたダウンリンク・データ・シンボル・ストリーム｛ｓｄｎ，ｍ｝を提供する。受信機空間処理は、ＣＣＭＩ、ＭＭＳＥ、又は他の何らかの技術に従って実行される。ＲＸデータ・プロセッサ２７０は、復元されたダウンリンク・データ・シンボル・ストリームを処理（例えば、復調、デインタリーブ、及び復号）し、ユーザ端末のための復号されたデータを取得する。
【００３０】
図３は、システム１００内で用いられうる無線デバイス３０２において用いることができる様々な構成要素を示す。無線デバイス３０２は、本明細書において説明された様々な方法を実行するように構成されうるデバイスの例である。無線デバイス３０２は、アクセス・ポイント１１０又はユーザ端末１２０であることができる。
【００３１】
無線デバイス３０２は、無線デバイス３０２の動作を制御するプロセッサ３０４を含むことができる。プロセッサ３０４は、中央処理ユニット（ＣＰＵ）とも称されうる。読取専用メモリ（ＲＯＭ）及びランダム・アクセス・メモリ（ＲＡＭ）両方を含むことができるメモリ３０６は、プロセッサ３０４へ命令及びデータを提供する。メモリ３０６の一部は、不揮発性ランダム・アクセス・メモリ（ＮＶＲＡＭ）を含むこともできる。プロセッサ３０４は一般に、メモリ３０６内に格納されたプログラム命令に基づいて、論理演算及び算術演算を実行する。メモリ３０６内の命令は、本明細書において説明された方法を実行するために実行可能であることができる。
【００３２】
無線デバイス３０２はまた、無線デバイス３０２と遠隔地との間のデータの送受信を可能にする、送信機３１０及び受信機３１２を含むことができるハウジング３０８を含むこともできる。送信機３１０及び受信機３１２は、トランシーバ３１４に組み合わされうる。複数の送信アンテナ３１６が、ハウジング３０８に取り付けられ、トランシーバ３１４に電気的に結合されうる。無線デバイス３０２はまた、（図示されないが）複数の送信機、複数の受信機、及び複数のトランシーバを含むこともできる。
【００３３】
無線デバイス３０２はまた、トランシーバ３１４によって受信された信号のレベルを検出及び量子化するために用いられうる信号検出器３１８を含むこともできる。信号検出器３１８は、そのような信号を、合計エネルギ、シンボル毎のサブキャリア毎のエネルギ、電力スペクトル密度、及び他の信号として検出することができる。無線デバイス３０２はまた、信号の処理において用いるためのデジタル信号プロセッサ（ＤＳＰ）３２０を含むこともできる。
【００３４】
無線デバイス３０２の様々な構成要素は、電力バス、制御信号バス、状態信号バス、及びデータ・バスを含みうるバス・システム３２２によって集合的に結合されうる。
【００３５】
当業者は、本明細書において説明された技術が一般に、例えばＳＤＭＡ、ＯＦＤＭＡ、ＣＤＭＡ、ＳＤＭＡ、及びそれらの組み合わせのような任意のタイプの多元接続スキームを用いるシステムにおいて適用されることを理解するであろう。
【００３６】
本開示のある態様は、システム性能を改善するために、ダウンリンクＳＤＭＡシステムにおけるユーザ依存チャネル状態情報（ＣＳＩ）フィードバック・レートを可能にするプロトコルを提供する。更に、ある態様は、各局のためのＣＳＩフィードバック・レートを決定するために、アクセス・ポイント又は局によって用いられうる物理層メトリックを提案する。
【００３７】
ダウンリンク・マルチユーザＭＩＭＯ（ＭＵ−ＭＩＭＯ）システム又はＳＤＭＡシステムは、基地局又はアクセス・ポイント（ＡＰ）におけるアンテナ・アレイからの送信ビームフォーミングによって、複数の空間的に離れた局に同時にサービス提供することができる。局の各々から受信されたチャネル状態情報（ＣＳＩ）に基づいて、複合送信プリコーディング・ウエイトがＡＰによって計算されうる。
【００３８】
環境内を移動している物体によるモード・ステアリング又は局移動のために、チャネルは時間によって変化するので、ＡＰが各局へ正確にビームフォームするために、ＣＳＩは定期的に更新されなければならない。各局のための必要なＣＳＩフィードバックのレートは、ＡＰとその局との間のチャネルのコヒーレンス時間に依存することができる。不十分なフィードバック・レートは、不正確なビームフォーミングによって性能に悪影響を及ぼしうる。一方、必要以上のフィードバック・レートは、貴重な媒体時間を浪費しつつ、ごくわずかな追加の利益しか生み出さない。
【００３９】
複数の空間的に離れた局から構成されたシナリオにおいて、チャネル・コヒーレンス時間及び適切なＣＳＩフィードバック・レートは、局にわたって空間的に変化することが予想されうる。更に、例えばチャネル状態の変化及び局の移動のような様々な要因によって、適切なＣＳＩフィードバック・レートもまた、局の各々について時間的に変化することがある。
【００４０】
例えば、高解像度テレビ（ＨＤＴＶ）又はセットトップ・ボックスのようないくつかの局は固定式であるが、ハンドヘルド・デバイスのような他の局は移動することがある。更に、局のサブセットは、蛍光灯の影響からの高いドップラの影響を受けることがある。最後に、いくつかの局へのマルチ経路は、異なる散乱が異なる速度で移動し、局の異なるサブセットに影響するので、他よりも多くのドップラを有することがある。
【００４１】
従って、ＣＳＩフィードバックの単一のレートが全ての局のために用いられる場合、不十分なフィードバック・レートを有する局に関する不正確なビームフォーミング及び／又は不必要に高いフィードバック・レートを有する局に関する必要以上のフィードバック・オーバヘッドによって、システム性能が損害を受けることがある。
【００４２】
従来のスキームにおいて、ＣＳＩフィードバックは、移動性又は一時的チャネル変化の観点から、最悪の場合のユーザに準拠したレートで発生することができる。しかし、様々な範囲のチャネル状態を経験する局から構成されるＳＤＭＡシステムの場合、単一のＣＳＩフィードバック・レートは、全ての局について適切ではないことがある。最悪の場合の局に迎合すると、比較的静的なチャネル状態にある局に、非常に動的なチャネルにおけるレートと同じレートでＣＳＩ値をフィードバックさせることによって、チャネル・リソースを不必要に浪費することになる。
【００４３】
例えば、ＣＤＭＡ２０００規格において、エボリューション・データ・オプティマイズド（ＥＶ−ＤＯ）データ・レート制御チャネル（ＤＲＣ）において、チャネル状態情報は、受信されたパイロットの信号対干渉プラス雑音比（ＳＩＮＲ）を反映する。更に、チャネル状態情報は、次の送信のためのレート選択を容易にするために、局によって送信される。この情報は、全ての局のための固定レート、恐らく、予想される最悪の場合の移動状況に関連付けられたトラック・チャネル変化にも十分なレートにおいて更新される。チャネル状態フィードバックのこのレートは、静止状態のユーザにとって不必要に高くなるだろう。ＤＲＣは最小オーバヘッドを提供するように設計されたことが留意されるべきである。ＳＤＭＡシステムにおけるＣＳＩは、ＡＰにおける複合ビームフォーミングをサポートするために用いられるので、ＥＶ−ＤＯ設計において達成された程度までＣＳＩフィードバックを圧縮又は縮小（streamline）することは適切ではない。
【００４４】
第２の例として、ビームフォーミングの送信をサポートするＩＥＥＥ８０２．１１ｎ規格は、ＣＳＩフィードバックが送信されるべきレートを指定しない。従って、ＣＳＩフィードバック・レートは、実行要因が考慮されうる。対照的に、ＩＥＥＥ８０２．１１ａｃ規格における複数のＳＤＭＡユーザのためのＣＳＩフィードバックの高いオーバヘッドの可能性、及び不良な局によるそのようなＣＳＩフィードバック・メカニズムの不正使用の可能性により、規格仕様書においてそれらのプロトコルを指定することが必要となりうる。
【００４５】
上述したように、特定の局のためのＣＳＩフィードバックの適切なレートは、その局の信号対雑音比（ＳＮＲ）に依存しうる。ある態様の場合、低いＳＮＲ値（かつ低いダウンリンク変調及びコーディング・スキーム（ＭＳＣ）レベル）を有するユーザは、低いＣＳＩフィードバック・レートにバイアスをかけられうる。古いＣＳＩに基づくプリコーディングによるスループット・ペナルティは、高いＭＣＳ／ＳＮＲのユーザに対するペナルティよりも、低いＭＣＳ／ＳＮＲのユーザに対して小さくなりうるからである。
【００４６】
更に、ＣＳＩを通信するために必要なアップリンク・リソースは、高いＳＮＲ状態における局よりも、低いＭＣＳ（すなわち、低いデータ・レート）に関して大きくなる。従って、ダウンリンク・マルチユーザ（ＭＵ）ＭＩＭＯから低ＳＮＲのユーザを完全に除外することが望ましい。
【００４７】
本開示のある態様は、マルチユーザＭＩＭＯシステムにおける各局が、自身のチャネル状態に適切なレートでＣＳＩを送信するように、ユーザ依存及び時間依存のＣＳＩフィードバック送信を可能にするための媒体アクセス制御（ＭＡＣ）プロトコルを提案する。多くのシナリオにおいて、このプロトコルは、ネットワーク・スループット及びチャネル効率における実質的な改善を導くことができる。
【００４８】
図４は、本開示のある態様に従って、異種ＣＳＩフィードバックのための２ステップＭＡＣプロトコルを示す。第１のステップにおいて、アクセス・ポイントは、１つ又は複数の局からのチャネル進化フィードバック（ＣＥＦＢ、４０６）を要求することができる。第２のステップにおいて、ＡＰは、局のサブセットからのＣＳＩフィードバック４１０を要求することができる。ＡＰは、各局のチャネル進化の程度、各局のＳＮＲ値又はＭＣＳ値、及び次のＳＤＭＡ送信において予想される全体の干渉レベルに基づいて、局のサブセットからのフィードバックを要求することを決定することができる。提案された方法は、アップリンクＳＤＭＡを用いることによって、フィードバック・オーバヘッドの最小化を可能にする。
【００４９】
ある態様の場合、図４に示すトランザクションは、トレーニング要求メッセージ（ＴＲＭ）４０２を用いてＡＰによって開始されうる。ＴＲＭメッセージは、レガシＩＥＥＥ８０２．１１ａ／ｇ局によって復号可能な形式を用いてサポートされる最も低いレートを用いて送信され、２つの目的を提供することができる。第１に、例えば到来するダウンリンクＳＤＭＡ送信のための候補のようなユーザのサブセット又はユーザ全てからのチャネル進化データを要求することである。第２に、無関係な局全てに、それらのネットワーク割当てベクトル（ＮＡＶ）を適切に設定させるように、ＴＲＭメッセージの持続期間フィールドを設定することによって、チャネル進化フィードバック・トランザクションを保護することである。
【００５０】
ＴＲＭメッセージのペイロードは、チャネル進化に関する要求（すなわち、チャネル状態情報要求）を示すビットを含むことができる。短フレーム間空間（ＳＩＦＳ）間隔の後、ＡＰは、ダウンリンク・チャネル測深(channel sounding)のために用いられうる、非常に高いスループット（ＶＨＴ）のプレアンブルを含むヌル・データ・パケット（ＮＤＰ）４０４を局へ送信することができる。ＴＲＭとは異なり、ＮＤＰメッセージ（すなわち、チャネル測深メッセージ）は、レガシ局によって復号することができない。各局は、最新のＣＳＩが送信されてからのチャネルの劣化の程度を示すメトリック又は複数のメトリックを含むことができるＣＥＦＢメッセージ４０６を用いて、ＴＲＭメッセージとＮＤＰメッセージとの組み合わせに応答することができる。
【００５１】
各局からの受信されたメトリックと、例えばＳＤＭＡ局の総数及び各局のためのＭＣＳ及び送信電力のような他のネットワーク状態とに基づいて、ＡＰは、第２のＴＲＭメッセージ４０８を送信し、ＣＳＩフィードバックが必要であるとＡＰが判定した局のサブセットからのチャネル・フィードバックを要求することができる。このＴＲＭメッセージは、各局が自身のＣＳＩフィードバック値を送信するＭＣＳを指定することもできる。局はその後、自身のＣＳＩフィードバック値を用いて応答することができる。第２のＴＲＭメッセージ４０８の持続フィールドは、レガシ局を含む無関係の局からの干渉から、ＣＳＩフィードバック・トランザクションの持続期間全体を保護するように設定されうる。
【００５２】
受信したＣＳＩフィードバックに基づいて自身のプリコーディング・ウエイトを更新した後、ＡＰは、ダウンリンクＳＤＭＡデータ４１２を局へ送信することができる。ある態様の場合、ダウンリンクＳＤＭＡデータ送信は、自身への送信可（ＣＴＳ）メッセージを用いてそれに先行することによって保護されうる。更に、ＣＴＳメッセージは、第２のＴＲＭメッセージ４０８における持続フィールドによって保護されることもできる。
【００５３】
規格がアップリンクＳＤＭＡ（ＵＬ−ＳＤＭＡ）をサポートする場合、全ての局からのＵＬ−ＳＤＭＡを用いたＣＥＦＢメッセージ又はＣＳＩメッセージの同時送信は、図４に示すプロトコルの最も効率的な実施形態となりうる。ＵＬ−ＳＤＭＡがない場合、ＣＥＦＢメッセージ及びＣＳＩメッセージは、時分割多元接続（ＴＤＭＡ）又は直交周波数分割多元接続（ＯＦＤＭＡ）によって連続して送信されうる。
【００５４】
図５は、本開示のある態様に従って、異種ＣＳＩフィードバックのための２ステップＭＡＣプロトコルのためにアクセス・ポイントによって実行されうる、例となる動作５００を示す。５０２において、アクセス・ポイントは、複数の局からのチャネル進化データを要求するためにＴＲＭを送信することができる。５０４において、アクセス・ポイントは、局からのチャネル進化フィードバックを受信することができ、このチャネル進化フィードバックは、最新のＣＳＩが送信されてからのチャネル劣化の程度を示すことができる。
【００５５】
５０６において、アクセス・ポイントは、局からの受信されたチャネル進化フィードバックに少なくとも部分的に基づいて、ＣＳＩフィードバックを更新するべきである局のサブセットを決定することができる。５０８において、アクセス・ポイントは、局のサブセットへＴＲＭメッセージを送信し、ＣＳＩフィードバックを要求することができる。５１０において、アクセス・ポイントは、局のサブセットからの１つ又は複数のＣＳＩフィードバック・メッセージを受信することができる。５１２において、アクセス・ポイントは、受信したＣＳＩフィードバック・メッセージに基づいて、プリコーディング・ウエイトを更新することができる。
【００５６】
図６は、本開示のある態様に従って、異種ＣＳＩフィードバックのための２ステップＭＡＣプロトコルのために局によって実行されうる、例となる動作６００を示す。６０２において、局は、ＡＰからの、チャネル進化データを要求するＴＲＭメッセージを受信することができる。６０４において、局は、チャネル進化フィードバックをＡＰへ送信することができる。チャネル進化フィードバックは、最新のＣＳＩが送信されてからのチャネル劣化の程度を示すことができる。６０６において、局は、その局がＣＳＩ情報を再送信するために必要な局のうちの１つとしてＡＰによって選択された場合、ＣＳＩフィードバックを要求しているＡＰからのＴＲＭメッセージを受信することができる。６０８において、局は、ＣＳＩフィードバックを要求するＴＲＭメッセージが受信された場合、ＣＳＩフィードバック・メッセージをＡＰへ送信することができる。
【００５７】
ある態様の場合、ＣＳＩフィードバックがＵＬ−ＳＤＭＡによって達成されなかった場合、第２のＴＲＭメッセージに含まれた持続フィールドは、全ての局がＣＳＩフィードバックを送信することを想定して、ＡＰによって計算されうる。一般にこのメカニズムは、フィードバック送信と関係のない局からの送信によって起こるコリジョンから、ＣＥＦＢメッセージ及びＣＳＩメッセージを保護することができる。
【００５８】
ある態様の場合、ＡＰにＣＳＩを要求することの決定を集中させる「ソフト」チャネル進化メトリックが用いられうる。ＡＰは、この決定において、例えばマルチユーザ干渉レベル及びユーザ毎ＭＣＳのような他の要因を考慮することもできる。
【００５９】
図７は、本開示のある態様に従って、決定性バックオフ・タイマに基づく異種ＣＳＩフィードバックのための代わりのＭＡＣプロトコルを示す。図示したように、ＣＳＩフィードバック・メッセージを送信するという決定は、単一のステップにおいて実行されうる。更に、局の各々が、ＣＳＩフィードバックを送信するか否かを決定することができる。この決定は、定義されたメトリック及び予め定められた基準に少なくとも部分的に基づくことができる。最後にＣＳＩフィードバック・メッセージが送信された時からチャネルが変化したと判定した局のみが、ＣＳＩフィードバックを送信することができる。その結果、ＣＳＩフィードバック・オーバヘッドが低減されうる。
【００６０】
図７に示されたプロトコルは、ＵＬ−ＳＤＭＡが利用可能ではないエア・インタフェースのためにより適切であることができる。提案されたプロトコルにおいて、各ＳＤＭＡ局は、ハード・メトリックと同種の内部計算に基づいて、ＣＳＩをフィードバックするか否かを決定することができる。連続ＣＳＩ送信のタイミングは、決定性バックオフ・タイマを用いることによって達成されうる。
【００６１】
ＡＰは、ＤＬ−ＳＤＭＡ送信がペンディングされようとしている局にアドレス指定されたＴＲＭメッセージを送信することによって、図７に示すトランザクションを開始することができる。ＴＲＭメッセージは、各局のための決定性バックオフ割当てを含むことができる。図４と同様に、ＴＲＭメッセージは、測深プレアンブルを提供するＮＤＰメッセージによって後続されうる。各局は、その局が、ＡＰにおけるＣＳＩ更新が必要であると決定した場合、今度はＣＳＩフィードバックを用いて応答することができる。局は、ＣＳＩ更新が必要ではないと決定した場合、何も送信しない。
【００６２】
決定性バックオフ・タイマを用いて、各局は、自身のバックオフ・タイマが満了した時しか送信しない。各局は、他の局による送信を検出した場合、自身のタイマを一時停止することもできる。タイマは、他の局が送信を完了し、媒体ではなくなった後、カウントダウンを再開することができる。適切に選択されたバックオフ値を用いると、応答していない局による時間損失は最小化されることができ、その結果、必要なＣＳＩフィードバック・メッセージ全てを受信するために必要な時間が低減されうる。
【００６３】
最後の局からのＣＳＩメッセージの受信後、又は最も長いバックオフ・タイマの満了後、ＡＰは、プリコーディング・ウエイトを再計算し、ＤＬ−ＳＤＭＡ送信４１２を開始することができる。図７に示す例において、ＳＴＡ３はＣＳＩフィードバック・メッセージを送信せず、ＳＴＡ４は、最小遅延時間後、ＣＳＩフィードバック・メッセージの送信を開始する。
【００６４】
本開示のある態様の場合、要求メッセージは、ＣＳＩが測深フレーム又はデータ・フレームを用いて送信されることを示すインジケーションを提供することができる。
【００６５】
図８は、本開示のある態様に従って、決定性バックオフ・タイマに基づく異種ＣＳＩフィードバックのためのＭＡＣプロトコルのためにアクセス・ポイントによって実行されうる、例となる動作８００を示す。８０２において、アクセス・ポイントは、複数の局へＴＲＭメッセージを送信する。ＴＲＭは、ＣＳＩに関する要求であり、ＴＲＭメッセージは、局の各々のための決定性バックオフ・タイマ割当てを含む。８０４において、アクセス・ポイントは、それらの局の対応するバックオフ・タイマに従って、局からの複数のＣＳＩフィードバック・メッセージを受信する。８０６において、アクセス・ポイントは、受信したＣＳＩフィードバック・メッセージに基づいてプリコーディング・ウエイトを更新する。
【００６６】
図９は、本開示のある態様に従って、決定性バックオフ・タイマに基づく異種ＣＳＩフィードバックのためのＭＡＣプロトコルのために局によって実行されうる、例となる動作９００を示す。９０２において、局は、ＡＰからのＴＲＭを受信する。このＴＲＭは、局のための決定性バックオフ・タイマ割当てを含む。９０４において、局は、ＣＳＩが更新される必要があるかを判定する。イエスであれば、９０６において、局は、バックオフ・タイマに従ってＣＳＩフィードバックを送信する。ＣＳＩが更新される必要がない場合、９０８において、局はＣＳＩフィードバックを送信しない。
【００６７】
このプロトコルの１つの欠点は、決定性バックオフの概念は、全ての局が、媒体を送信することによってその他の局の送信を検出することができると想定している点である。しかし、隠されたノードの存在において、バックオフ・タイマは予想通りに停止せず、ＣＳＩフィードバック・データのコリジョンを招く可能性がある。
【００６８】
図１０は、本開示のある態様に従って、局のポーリングに基づく異種ＣＳＩフィードバックのためのＭＡＣプロトコルを示す。このプロトコルは、ポーリング・プロトコルを用いることによって、隠されたノード問題を回避し、異なる局からの送信のコリジョンを回避する。
【００６９】
図１０に示すように、ＴＲＭメッセージ及び測深ＮＤＰメッセージの送信に後続して、各局は、ＣＳＩフィードバックのために連続してポーリングされる。局は、その局が、ＣＳＩ更新が必要であると判定した場合、ＣＳＩフィードバックを送信することによってポーリング１００２に応答することができる。そうでない場合、局は、何も送信しない。ＡＰが、１つのタイムスロット後、ポーリングへの応答を検出しない場合、ＡＰは次の局をポーリングする。最後の局からのＣＳＩの受信後、又は最後にポーリングされた局からの応答がない場合、ＡＰは、プリコーディング・ウエイトを再計算し、ＤＬ−ＳＤＭＡデータ送信を開始することができる。図１０に示された例において、ＳＴＡ３は、ＣＳＩフィードバック・メッセージを送信しない。ＡＰは、ある時間内にＳＴＡ３からの応答を検出しなかった場合、ＣＳＩフィードバックのためにＳＴＡ４をポーリングすることができる。
【００７０】
図１１は、本開示のある態様に従って、局のポーリングに基づく異種ＣＳＩフィードバックのためのＭＡＣプロトコルのためにアクセス・ポイントによって実行されうる、例となる動作１１００を示す。１１０２において、アクセス・ポイントは、複数の局へＴＲＭメッセージを送信する。１１０４において、アクセス・ポイントは、局の各々へポーリング・メッセージを送信する。１１０６において、アクセス・ポイントは、ポーリング・メッセージに応答して局からの１つ又は複数のＣＳＩフィードバック・メッセージを受信する。１１０２において、アクセス・ポイントは、受信したＣＳＩフィードバック・メッセージに基づいて、プリコーディング・ウエイトを更新する。
【００７１】
図１２は、本開示のある態様に従って、局のポーリングに基づく異種ＣＳＩフィードバックのためのＭＡＣプロトコルのために局によって実行されうる、例となる動作１２００を示す。１２０２において、局は、ＡＰからのＴＲＭメッセージを受信する。１２０４において、局は、ＡＰにおけるＣＳＩが更新される必要があるかを判定する。１２０６において、局は、ＡＰからのポーリング・メッセージを受信する。１２０８において、ポーリング・メッセージに応答して、局は、ＣＳＩが更新される必要があると判定された場合、ＣＳＩフィードバックを送信し、そうでない場合、何も送信しない。
【００７２】
本開示のある態様の場合、ＴＲＭメッセージは、レガシ復号可能形式を有することができる。従ってＴＲＭメッセージは、ＤＬ−ＳＤＭＡをサポートしていない局（すなわち、レガシ局）であっても、全ての局によって復号することができる。ＴＲＭメッセージは、局のうちのいくつかが、それらのＮＡＶを適切に設定することによって送信を延期することができるように、持続フィールドを搬送することができる。自身の送信を延期する局は、到来するＤＬ  ＳＤＭＡ送信に関わりのない局か、（レガシ局であっても）ＳＤＭＡの機能がない局であることができる。
【００７３】
ある態様の場合、ＴＲＭメッセージに含まれる持続フィールドは、局全てがＣＳＩメッセージをフィードバックしうることを想定して、ＡＰによって計算されうる。これは、フィードバック送信に関係のない局の送信によって発生するコリジョンから、測深ＮＤＰメッセージ及びＣＳＩメッセージを保護する。
【００７４】
本開示は、アップリンクＳＤＭＡがサポートされる場合、ＣＳＩフィードバック・オーバヘッドを低減するためのプロトコルを提案した。ある態様は、ＵＬ−ＳＤＭＡがサポートされていない場合、フィードバック・オーバヘッドを最適化する。本文書において説明されるように、レガシ局又は到来するフィードバック送信に関する任意の特定のＳＤＭＡ送信と関係のない他の局に通知することによって、チャネル進化及びＣＳＩフィードバックは、データ・コリジョンから保護されうる。
【００７５】
（分析）
本開示の文書において説明されたシナリオを拡大すると、例えば１００ｍｓ、２００ｍｓ、４００ｍｓ、６００ｍｓ、８００ｍｓ、１０００ｍｓ、及び１２００ｍｓのようなチャネル・コヒーレンス時間の範囲を経験している１０デュアル・アンテナ局及び８アンテナＡＰを有する４０ＭＨｚ８０２．１１ａｃネットワークが想定される。これらの値は、チャネル内での入念な歩行行動による、室内状態にある固定局に関する最近の測定キャンペーンと整合している（１００ｍｓは、測定値の約１パーセンタイルを表す）。所与の局のための好適なＣＳＩフィードバック間隔は、その局のチャネル・コヒーレンス時間の１０％であることが想定される。更に、５４Ｍｂｐｓのわずかなアップリンク容量が全ての局について想定されうる。
【００７６】
提案されたプロトコルが実施されない場合、システムは、全ての局が、予想される最悪の場合のドップラ状態のために適切なレートでＣＳＩフィードバックを送信するように設計されなければならない。従って、１００ｍｓのコヒーレンス時間を想定すると、全てのユーザは、毎秒１００回のＣＳＩメッセージをフィードバックすることができる。従って、全てのＣＳＩフィードバック・メッセージのために必要な容量の合計は、以下のようになりうる。  
１００ＣＳＩ／ｓｅｃ×１６ｂｉｔ／ＣＳＩ×８Ｔｘ×２Ｒｘ×１１４サブキャリア×１０局×１１０％ＭＡＣオーバヘッド＝３０．６Ｍｂｐｓ  
これは、利用可能な５４Ｍｂｐｓのアップリンク容量の５７％を示す。
【００７７】
提案されたプロトコルが実施された場合、ＣＳＩフィードバックは、各局のチャネル・コヒーレンス時間のために適切なレートで発生することができる。この場合、全てのＣＳＩフィードバック・メッセージを送信するために必要な合計スループットは８．３Ｍｂｐｓであり、これは、利用可能な５４Ｍｂｐｓのアップリンク容量の約１５％を示す。これは、提案された技術が実現されなかった場合と比較して、明確なＣＳＩフィードバックのために必要なチャネル・オーバヘッドにおける７３％の低減を示す。
【００７８】
局が、ＳＮＲ又はＳＩＮＲの範囲にある場合の条件において、低いＭＣＳのユーザに低いフィードバック・レートを適用することによって更なる最適化が可能となり、その結果、更なるオーバヘッドの低減が可能となりうる。
【００７９】
（ＣＳＩ進化メトリック）
本開示のある態様の場合、適応可能な局依存チャネル状態情報フィードバック・レートのためのＭＡＣ層プロトコルにおいて、アクセス・ポイント又は局のいずれかによってチャネル状態情報進化メトリックが計算されうる。ＣＳＩ進化メトリックは、局に関するＣＳＩの「劣化」あるいは「進化」の程度を評価するためにＡＰ又は局のいずれかによって用いられうる。ＣＳＩ進化メトリックは、局において計算され、更なる処理のためにアクセス・ポイントへフィードバックされうる。あるいはＣＳＩメトリックは、局から受信した最新のＣＳＩ値のうちの２つを用いてＡＰにおいて計算されうる。
【００８０】
ＣＳＩ進化メトリックは、各局に関するＣＳＩ進化の程度と、その局のＳＮＲ状態との両方を説明することができる。不必要に高いＣＳＩフィードバック・レートを促進しうる偽りの（artificial）メトリックを通信することによって、「不良な」局が不正にプロトコルを用いることを防止するために、ＣＳＩ進化メトリックは、開発者に任されるのではなく、エア・インタフェース規格仕様書において定義される必要がある。
【００８１】
ある態様の場合、ＣＳＩ進化メトリックは、「ソフト・メトリック」として定義されることができ、局によって計算されＡＰへ通信されるか、又はＡＰによって直接計算される。この場合、ＡＰは、局からのＣＳＩ更新が必要であるか否かに関する決定の責任を負うことができる。ＣＳＩ進化メトリック、ＤＣＳＩは、以下のように計算されうる。  
【数１】
0005628322.tif 000002
【００８２】
この場合、‖Ｈ‖は、マトリクスＨのノルムを示し、Ｈｎｅｗは、局において測定された最新のダウンリンク複合チャネル推定値である。Ｈｏｌｄは、最も新しくＡＰへフィードバックされた複合チャネル推定値であり、これに基づいて現在のプリコーディング・ウエイトが計算される。ＤＣＳＩの値は、ＨｏｌｄとＨｎｅｗが同様である場合、ゼロに近づきうる。ＤＣＳＩの値は、Ｈｎｅｗの大きさ又はフェーズ特性のいずれかがＨｏｌｄの大きさ又はフェーズ特性から外れるにつれ、大きくなりうる。本明細書におけるＨｎｅｗ及びＨｏｌｄは、受信機におけるフェーズ雑音の影響を補正するためのパイロット調整チャネル推定値を称する。
【００８３】
本開示のある態様の場合、ＣＳＩ進化メトリック、ＤＣＳＩは、局の現在のＳＮＲ状態を示すインジケーションによって添付され、ＡＰへ送信されうる。ＡＰは、局からの受信された情報に少なくとも部分的に基づいて、局からのＣＳＩフィードバックを要求するか否かを決定することができる。局の現在のＳＮＲ状態を示すインジケーションは、明確なＳＮＲ推定値であることができる。現在のＳＮＲ状態は、その局の現在のダウンリンク及び／又はアップリンクのＭＣＳから暗黙に確かめられることもできる。
【００８４】
ある態様の場合、ＡＰは、局からのＣＳＩフィードバックを要求するか否かを決定するために、各局に割り当てられたダウンリンク送信電力と、次のＳＤＭＡ送信において予想される局の数とを考慮することもできる。
【００８５】
高いＳＮＲ体制において、ユーザのＳＩＮＲは、干渉しているユーザの空値がもはや最適に進められず、そのユーザへの高い干渉をもたらすので、自身のチャネルが進化すると減少する。従って、（等距離のユーザを想定して）ＳＤＭＡを介してアクセス・ポイントによってサービス提供される局の数が増加すると、干渉の可能性も増加する。その結果、ユーザのＳＩＮＲ及び達成可能なデータ・レートは、ますますチャネル進化の影響を受け易くなる。
【００８６】
従って、ある態様の場合、ＡＰは、ＳＤＭＡ局の数が多い場合ほど頻繁にＣＳＩを要求することができる。同様に、いくつかのユーザへ高い電力が送信された場合、干渉の可能性が高いことにより、局のうちのいくつかからのより頻繁なフィードバックが必要となりうる。
【００８７】
ある態様の場合、ＯＦＤＭシステムにおいて、ＣＳＩ進化メトリック、ＤＣＳＩは、サブキャリアのサブセット又はサブキャリア全てについて計算されうる。ＡＰへ提供されたチャネル進化フィードバックは、各サブキャリアについて別々のメトリックの形式をとるか、全てのサブキャリアにわたる平均の形式をとることができる。平均チャネル進化メトリックは、通信されるアップリンク・チャネル・リソースを少ししか必要とせず、チャネル進化の程度のより信頼できる推定値にもなりうる。
【００８８】
ある態様の場合、複数のアンテナを有する局の場合、ＤＣＳＩは、各受信アンテナについて別々に計算されうる。Ｈｏｌｄ及びＨｎｅｗは、完全なＮｒｘ×Ｎｔｘチャネル推定値の形式をとることもできる。従って、ＡＰへ提供されたチャネル進化フィードバックは、各受信アンテナについて別々のメトリックであるか、全てのアンテナの平均であるかのいずれかとなりうる。
【００８９】
本開示のある態様の場合、ＤＣＳＩは、局によって計算されＡＰへ通信される「ハード・メトリック」として定義されることもできる。この場合、局は、ＡＰへのＣＳＩ更新が必要であるか否かに関する決定について責任を負うことができる。ハードＤＣＳＩメトリックは、論理値（すなわち、真又は偽）として書かれ、以下のように規定されうる。  
【数２】
0005628322.tif 000003
【００９０】
この場合、ＳＮＲは、局によって経験された線形ユニットにおける現在のＳＮＲであることができ、Ｍａｒｇｉｎは、システム内で定義された固定の閾値又は限界値であることができる。
【００９１】
式（２）に示すハードＤＣＳＩメトリックは、式（１）に示すソフトＤＣＳＩメトリックとＳＮＲ依存閾値とを比較することによって生成されることに留意されたい。チャネルが、ＡＰへのＣＳＩの更新を保証するのに十分に進化した場合、式（２）は「真」となるであろう。ハードＤＣＳＩメトリックは、高いＳＮＲの局ほど真になりやすい。これは、高いＳＮＲ又は高いＭＣＳを有する局からのより頻繁なフィードバックが必要となるので、望ましい。
【００９２】
ある態様の場合、局におけるチャネル進化をトラックするための第２のソフトＤＣＳＩメトリックが以下のように定義されうる。  
【数３】
0005628322.tif 000004
【００９３】
この場合、Ｈｎｅｗ及びＨｏｌｄは、単一の局のアンテナに関する複合チャネル推定値を含む行ベクトルであり、Ａ・Ｂは、ベクトルＡとベクトルＢとの内積を表し、Ｂ’は、ベクトルＢのエルミート転置行列を表し、｜ｘ｜は、Ｘの大きさを示す。式（３）に示すソフトＤＣＳＩメトリックの値は、ＨｏｌｄとＨｎｅｗとが同様である場合、１に等しくなりうる。ＤＣＳＩは、Ｈｎｅｗのフェーズ特性がＨｏｌｄから外れるにつれ小さくなる。しかし、例えば経路損失における変化のようなＨの大きさにおける変化によるチャネル進化は、このメトリックによって検出されることができないことが留意されるべきである。
【００９４】
ある態様の場合、第３のソフトＤＣＳＩメトリックは、以下のように定義されうる。  
【数４】
0005628322.tif 000005
【００９５】
この場合、Ｈｎｅｗ及びＨｏｌｄは、単一のアンテナの局に関する複合チャネル推定であり、ａｒｇ（ｘ）は、Ｘの独立変数（すなわち、角度）関数を表す。式（４）に示すソフトＤＣＳＩメトリックの値は、ＨｏｌｄとＨｎｅｗとが同様である場合、ゼロに等しくなりうる。ＤＣＳＩは、Ｈｎｅｗのフェーズ特性がＨｏｌｄから外れるにつれ大きくなりうる。しかし、例えば損失経路における変化のようなＨの大きさにおける変化によるチャネル進化は、このメトリックによって正しく検出されない。
【００９６】
式（３）及び式（４）において定義されたソフト・メトリックはいずれもＳＮＲと同種ではないので、これらは、式（１）において定義されたソフト・メトリックのようにハード・メトリックの基準としては適切でない。
【００９７】
ある態様の場合、チャネル進化をトラックするための第４のメトリックが以下のように定義されうる。  
【数５】
0005628322.tif 000006
【００９８】
この場合、  
【数６】
0005628322.tif 000007
【００９９】
であり、ｐ２は、式（３）に示すメトリックと等しい。式（５）に示すメトリックは、式（１）に示すメトリックの良好な推定器となり、ＨｏｌｄとＨｎｅｗとの間の平均平方誤差の推定値として代わりに用いられうる。
【０１００】
式（５）に示すメトリックは、局とＡＰとの間のフェーズ基準ドリフトの影響を受けないという利点を有し、マルチユーザＭＩＭＯ性能に影響を及ぼさない。フェーズ・ドリフトが存在すると、式（１）に示すメトリックは、チャネル進化の程度の過大評価をもたらす結果をトリガしうる。
【０１０１】
図１３は、本開示のある態様に従って、異種ＣＳＩフィードバックをサポートするために物理層メトリックを計算するための、例となる動作１３００を示す。１３０２において、局は、現在のチャネル推定値を取得する。１３０４において、局は、ＡＰへ通信された最新のチャネル推定値を取得する。１３０６において、局は、ＡＰへ通信された最新のチャネル推定値及び現在のチャネル推定値に少なくとも基づいて、第１のメトリック（すなわち、ソフト・メトリック）を計算する。
【０１０２】
１３０８において、局は、第２のメトリック（すなわち、ハード・メトリック）を生成するために、第１のメトリックとＳＮＲ依存閾値とを比較することができる。局は、第１のメトリック又は第２のメトリックをアクセス・ポイントへ送信することができ、ここからアクセス・ポイントは、ＣＳＩ更新を要求するべきか否かを決定する。局はまた、ＣＳＩ更新をアクセス・ポイントへ送信するべきか否かを決定するために第２のメトリックを用いることもできる。
【０１０３】
ある態様の場合、式１乃至５に記載されたメトリックは、ＡＰによって計算されうる。ＡＰは、各ＳＴＡからのＣＳＩを要求するか否かを決定するために、計算されたメトリックを用いることができる。従って、上述されたメトリックは、局によってトラックされ、ＡＰへ通信されたメトリックではなく、ＡＰ内の意思決定アルゴリズムの一部とみなされうる。
【０１０４】
ある態様の場合、局からのＣＳＩ更新を要求するかの決定は、チャネル進化メトリックに加えて、最後のＣＳＩ更新から経過した時間に依存することができる。
【０１０５】
図１４は、本開示のある態様に従って、アクセス・ポイントによって実行されうる、異種ＣＳＩフィードバックをサポートするために物理層メトリックを計算するための例となる動作を示す。
【０１０６】
１４０２において、ＡＰは、局からの最近のチャネル推定値及び現在のチャネル推定値を取得する。１４０４において、ＡＰは、現在のチャネル推定値及び最近のチャネル推定値に少なくとも基づいて第１のメトリックを計算する。この場合、第１のメトリックは、ユーザ機器からのチャネル状態情報（ＣＳＩ）の更新が要求されるかを判定するために用いられる。
【０１０７】
本開示の態様は、マルチユーザ通信システムにおける適応可能な局依存チャネル状態情報フィードバック・レートをサポートするためのメトリック及び方法を提案した。上述したように、チャネル進化メトリックは、ＡＰによって計算されることも局によって計算されることもできる。
【０１０８】
上述された方法の様々な動作は、対応する機能を実行することができる任意の適切な手段によって実行されうる。手段は、回路、特定用途向け集積回路（ＡＳＩＣ）、又はプロセッサに限定されないがそれらを含む様々なハードウェア及び／又はソフトウェアの構成要素及び／又はモジュールを含むことができる。一般に、図面において動作が示された場合、それらの動作は、同様の番号を有する、対応する同等の手段プラス機能構成要素を有することができる。例えば、図５、６、８、９、１１、１２、１３、及び１４に示された動作５００、６００、８００、９００、１１００、１２００、１３００、及び１４００はそれぞれ、図５Ａ、６Ａ、８Ａ、９Ａ、１１Ａ、１２Ａ、１３Ａ、及び１４Ａにそれぞれ示された構成要素５００Ａ、６００Ａ、８００Ａ、９００Ａ、１１００Ａ、１２００Ａ、１３００Ａ、及び１４００Ａに対応する。
【０１０９】
本明細書において用いられる場合、「決定する」と言う用語は、様々な広範囲のアクションを包含する。例えば、「決定する」は、計算する（calculating）、計算する（computing）、処理する、導出する、調査する、検索する（例えば、表、データベース、又は別のデータ構成において検索する）、確かめる、等を含むことができる。また、「決定する」は、受信する（例えば、情報を受信する）、アクセスする（例えば、メモリ内のデータにアクセスする）、等を含むこともできる。また、「決定する」は、分解する、選択する（selecting）、選択する（choosing）、確立する、等を含むこともできる。
【０１１０】
上述された方法の様々な動作は、例えば様々なハードウェア及び／又はソフトウェアの構成要素、回路、及び／又はモジュールのような、動作を実行することができる任意の適切な手段によって実行されうる。一般に、図面に示された任意の動作は、その動作を実行することができる対応する機能手段によって実行されうる。
【０１１１】
本開示に関連して説明された様々な例示的な論理ブロック、モジュール、及び回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいは他のプログラマブル論理デバイス（ＰＬＤ）、ディスクリート・ゲートあるいはトランジスタ・ロジック、ディスクリート・ハードウェア部品、又は本明細書で説明された機能を実行するように設計されたそれらの任意の組み合わせを用いて実現又は実行されうる。汎用プロセッサとしてマイクロプロセッサを用いることができるが、代わりに、任意の商用プロセッサ、コントローラ、マイクロコントローラ、又はステート・マシンを用いることもできる。プロセッサは、例えばＤＳＰとマイクロプロセッサとの組み合わせ、複数のマイクロプロセッサ、ＤＳＰコアに接続された１つ又は複数のマイクロプロセッサ、又は他の任意のそのような構成のようなコンピュータ・デバイスの組み合わせとして実装されることもできる。
【０１１２】
本開示に関連して説明されたアルゴリズム又は方法のステップは、ハードウェアによって直接、プロセッサによって実行されるソフトウェア・モジュールによって、又はそれら２つの組み合わせによって具現化されうる。ソフトウェア・モジュールは、当該技術において周知である任意の形式の記憶媒体内に収納されうる。用いられうる記憶媒体のいくつかの例は、ランダム・アクセス・メモリ（ＲＡＭ）、読取専用メモリ（ＲＯＭ）、フラッシュ・メモリ、ＥＰＲＯＭメモリ、ＥＥＰＲＯＭメモリ、レジスタ、ハード・ディスク、リムーバブル・ディスク、ＣＤ−ＲＯＭ等を含む。ソフトウェア・モジュールは、単一の命令又は多数の命令を備えることができ、いくつかの異なるコード・セグメント、異なるプログラム、及び複数の記憶媒体に散在することができる。記憶媒体は、プロセッサがそこから情報を読み取り、またそこへ情報を書き込むことができるように、プロセッサに結合されうる。あるいは記憶媒体は、プロセッサに統合されうる。
【０１１３】
本明細書において開示された方法は、上述された方法を達成するための１つ又は複数のステップ又はアクションを備える。方法のステップ及び／又はアクションは、特許請求の範囲から逸脱することなく、互いに置き換えられうる。すなわち、ステップ又はアクションの特定の順序が指定されない限り、特定のステップ及び／又はアクションの順序及び／又は使用は、特許請求の範囲から逸脱することなく変更されうる。
【０１１４】
上述された機能は、ハードウェア、ソフトウェア、ファームウェア、又はそれらの任意の組み合わせによって実現されうる。ソフトウェアによる実現の場合、機能は、コンピュータ読取可能媒体上の１つ又は複数の命令として格納されうる。記憶媒体は、コンピュータによってアクセスすることができる任意の利用可能な媒体であることができる。限定ではなく一例として、そのようなコンピュータ読取可能媒体は、ＲＡＭ、ＲＯＭ、ＥＥＰＲＯＭ、ＣＤ−ＲＯＭあるいは他の光学ディスク記憶媒体、磁気ディスク記憶媒体あるいは他の磁気記憶デバイス、又は、命令又はデータ構成の形式で所望のプログラム・コードを搬送又は格納するために用いることができ、コンピュータによってアクセスすることができる他の任意の媒体を備えることができる。ディスク（disk）及びディスク（disc）は、本明細書において用いられる場合、コンパクト・ディスク（disc）（ＣＤ）、レーザ・ディスク（disc）、光学ディスク（disc）、デジタル・バーサタイル・ディスク（disc）（ＤＶＤ）、フロッピー（登録商標）ディスク（disk）、及びブルーレイ（登録商標）ディスク（disc）を含み、ディスク（disk）が一般にデータを磁気的に再生するのに対し、ディスク（disc）はレーザを用いてデータを光学的に再生する。
【０１１５】
従って、ある態様は、本明細書に提示された動作を実行するためのコンピュータ・プログラム製品を備えることができる。例えばそのようなコンピュータ・プログラム製品は、そこに格納された（及び／又は符号化された）命令を有するコンピュータ読取可能媒体を備えることができ、命令は、本明細書で説明された動作を実行するための１つ又は複数のプロセッサによって実行可能である。ある態様の場合、コンピュータ・プログラム製品は、包装材料を含むことができる。
【０１１６】
ソフトウェア又は命令は、送信媒体を介して送信されることもできる。例えば、ソフトウェアが、ウェブサイト、サーバ、又は他の遠隔ソースから、同軸ケーブル、光ファイバ・ケーブル、ツイスト・ペア、デジタル加入者線（ＤＳＬ）、又は例えば赤外線、ラジオ、及びマイクロ波のような無線技術を用いて送信された場合、同軸ケーブル、光ファイバ・ケーブル、ツイスト・ペア、ＤＳＬ、又は例えば赤外線、ラジオ、及びマイクロ波のような無線技術は送信媒体の定義に含まれる。
【０１１７】
更に、モジュール及び／又は本明細書で説明された方法及び技術を実行するための他の適切な手段は、ダウンロードされる、及び／又は規定どおりにユーザ端末及び／又は基地局によって取得されることができる。例えば、そのようなデバイスは、本明細書で説明された方法を実行するための手段の転送を容易にするために、サーバに結合されることができる。あるいは、本明細書で説明された様々な方法は、ユーザ端末及び／又は基地局が、デバイスに格納手段を結合又は提供すると様々な方法を取得することができるように、格納手段（例えば、ＲＡＭ、ＲＯＭ、例えばコンパクト・ディスク（ＣＤ）又はフロッピー・ディスク等のような物理記憶媒体）を介して提供されうる。更に、本明細書で説明された方法及び技術をデバイスに提供するための他の任意の適切な技術が用いられうる。
【０１１８】
特許請求の範囲は、上述されたものと全く同じ構成及び構成要素に限定されないことが理解されるべきである。特許請求の範囲から逸脱することなく、上述された方法及び装置の順序、動作、及び詳細において、様々な修正、変更、及び変形例が成立しうる。
【０１１９】
本明細書において提供された技術は、様々な用途において用いることができる。ある態様の場合、本願に提示された技術は、アクセス・ポイント局、アクセス端末、モバイル・ハンドセット、又は本明細書において提供された技術を実行するための処理ロジック及び要素を有する他のタイプの無線デバイスに組み込まれることができる。
【０１２０】
上記は本開示の態様に向けられるが、本開示の他の態様及び更なる態様が、本願の基本的な範囲から逸脱することなく考案されることができ、本願の範囲は、以下の特許請求の範囲によって決定される。
以下に、本願出願の当初の特許請求の範囲に記載された発明を付記する。
［１］第１の装置による無線通信のための方法であって、
現在のチャネル推定値を取得することと、
第２の装置へ通信された最近のチャネル推定値を取得することと、
前記現在のチャネル推定値又は前記最近のチャネル推定値に少なくとも基づいて第１のメトリックを計算することとを備え、前記第１のメトリックは、チャネル状態情報（ＣＳＩ）更新が前記第２の装置へ送信されるべきかを判定するために用いられる方法。
［２］前記第２の装置からの要求メッセージを受信することと、
前記要求メッセージに応答して、前記第１のメトリックを前記第２の装置へ送信することとを更に備える、［１］に記載の方法。
［３］前記第１のメトリック及び予め定められた基準に少なくとも部分的に基づいて、前記ＣＳＩ更新を前記第２の装置へ送信することを決定することを更に備える、［１］に記載の方法。
［４］前記ＣＳＩ更新を送信することを決定することは、
チャネルの信号対雑音比（ＳＮＲ）及び前記第１のメトリックに基づいて第２のメトリックを計算することと、
前記第２のメトリックに基づいて、前記ＣＳＩ更新が前記第２の装置へ送信されるべきであるかを決定することとを備える、［３］に記載の方法。
［５］前記第２のメトリックを前記第２の装置へ送信することを更に備える、［４］に記載の方法。
［６］無線通信のための装置であって、
現在のチャネル推定値を取得するように構成された推定器であって、他の装置へ通信された最近のチャネル推定値を取得するようにも構成された推定器と、
前記現在のチャネル推定値又は前記最近のチャネル推定値に少なくとも基づいて第１のメトリックを計算するように構成された回路とを備え、前記第１のメトリックは、チャネル状態情報（ＣＳＩ）更新が前記他の装置へ送信されるべきかを判定するために用いられる装置。
［７］前記他の装置からの要求メッセージを受信するように構成された受信機と、
前記要求メッセージに応答して、前記第１のメトリックを前記他の装置へ送信するように構成された送信機とを更に備える、［６］に記載の装置。
［８］前記第１のメトリック及び予め定められた基準に少なくとも部分的に基づいて、前記ＣＳＩ更新を前記他の装置へ送信することを決定するように構成された別の回路を更に備える、［６］に記載の装置。
［９］前記別の回路はまた、
チャネルの信号対雑音比（ＳＮＲ）及び前記第１のメトリックに基づいて第２のメトリックを計算し、
前記第２のメトリックに基づいて、前記ＣＳＩ更新が前記他の装置へ送信されるべきかを決定するようにも構成された、［８］に記載の装置。
［１０］前記送信機はまた、前記第２のメトリックを前記他の装置へ送信するようにも構成された、［９］に記載の装置。
［１１］無線通信のための装置であって、
現在のチャネル推定値を取得するための手段と、
他の装置へ通信された最近のチャネル推定値を取得するための手段と、
前記現在のチャネル推定値又は前記最近のチャネル推定値に少なくとも基づいて第１のメトリックを計算するための手段とを備え、前記第１のメトリックは、チャネル状態情報（ＣＳＩ）更新が前記他の装置へ送信されるべきかを判定するために用いられる装置。
［１２］前記他の装置からの要求メッセージを受信するための手段と、
前記要求メッセージに応答して、前記他の装置へ前記第１のメトリックを送信するための手段とを更に備える、［１１］に記載の装置。
［１３］前記第１のメトリック及び予め定められた基準に少なくとも部分的に基づいて、前記ＣＳＩ更新を前記他の装置へ送信することを決定するための手段を更に備える、［１１］に記載の装置。
［１４］前記ＣＳＩ更新を送信することを決定するための手段は、
チャネルの信号対雑音比（ＳＮＲ）及び前記第１のメトリックに基づいて第２のメトリックを計算するための手段と、
前記第２のメトリックに基づいて、前記ＣＳＩ更新が前記他の装置へ送信されるべきかを決定するための手段とを備える、［１３］に記載の装置。
［１５］前記第２のメトリックを前記他の装置へ送信するための手段を更に備える、［１４］に記載の装置。
［１６］第１の装置による無線通信のためのコンピュータ・プログラム製品であって、
現在のチャネル推定値を取得し、
第２の装置へ通信された最近のチャネル推定値を取得し、
前記現在のチャネル推定値又は前記最近のチャネル推定値に少なくとも基づいて第１のメトリックを計算するように実行可能な命令を備えるコンピュータ読取可能媒体を備え、前記第１のメトリックは、チャネル状態情報（ＣＳＩ）が前記第２の装置へ送信されるべきかを判定するために用いられるコンピュータ・プログラム製品。
［１７］少なくとも１つのアンテナと、
現在のチャネル推定値を取得するように構成された推定器であって、アクセス・ポイントへ通信された最近のチャネル推定値を取得するようにも構成された推定器と、
前記現在のチャネル推定値又は前記最近のチャネル推定値に少なくとも基づいて第１のメトリックを計算するように構成された回路とを備える無線ノードであって、前記第１のメトリックは、チャネル状態情報（ＣＳＩ）更新が前記少なくとも１つのアンテナを介して前記アクセス・ポイントへ送信されるべきかを判定するために用いられる無線ノード。
［１８］無線通信のための方法であって、
装置からの最近のチャネル推定値及び現在のチャネル推定値を取得することと、
前記現在のチャネル推定値又は前記最近のチャネル推定値に少なくとも基づいて第１のメトリックを計算することとを備え、前記第１のメトリックは、前記装置からのチャネル状態情報（ＣＳＩ）更新が要求されるべきかを判定するために用いられる方法。
［１９］前記第１のメトリック及び予め定められた基準に少なくとも部分的に基づいて、前記装置からの前記ＣＳＩ更新を要求することを決定することを更に備える、［１８］に記載の方法。
［２０］前記ＣＳＩ更新を要求することを決定することは、前記第１のメトリック及び最新のＣＳＩ更新から経過した時間に基づく、［１９］に記載の方法。
［２１］前記ＣＳＩ更新を要求することを決定することは、
チャネルの信号対雑音比（ＳＩＮＲ）及び前記第１のメトリックに基づいて第２のメトリックを計算することと、
前記第２のメトリックに少なくとも部分的に基づいて、チャネル状態情報要求が前記装置へ送信されるべきかを決定することとを備える、［１９］に記載の方法。
［２２］決定することは、
前記第２のメトリック及び最新のＣＳＩ更新から経過した時間に少なくとも基づいて、前記チャネル状態情報要求が前記装置へ送信されるべきかを決定することを備える、［２１］に記載の方法。
［２３］前記決定に基づいて、前記ＣＳＩ更新に関する要求を前記装置へ送信することを更に備える、［１９］に記載の方法。
［２４］前記ＣＳＩ更新に関する要求は、トレーニング要求メッセージ又はチャネル測深メッセージのうちの少なくとも１つを備える、［２３］に記載の方法。
［２５］無線通信のための装置であって、
他の装置からの最近のチャネル推定値及び現在のチャネル推定値を取得するように構成された受信機と、
前記現在のチャネル推定値又は前記最近のチャネル推定値に少なくとも基づいて第１のメトリックを計算するように構成された回路とを備え、前記第１のメトリックは、前記他の装置からのチャネル状態情報（ＣＳＩ）更新が要求されるべきかを判定するために用いられる装置。
［２６］前記第１のメトリック及び予め定められた基準に少なくとも部分的に基づいて、前記他の装置からのＣＳＩ更新を要求することを決定するように構成された別の回路を更に備える、［２５］に記載の装置。
［２７］前記ＣＳＩ更新を要求することを決定することは、前記第１のメトリック及び最新のＣＳＩ更新から経過した時間に少なくとも基づく、［２６］に記載の装置。
［２８］前記他の回路はまた、
チャネルの信号対雑音比（ＳＮＲ）及び前記第１のメトリックに基づいて第２のメトリックを計算し、
前記第２のメトリックに少なくとも部分的に基づいて、チャネル状態情報要求が前記他の装置へ送信されるべきかを決定するようにも構成された、［２６］に記載の装置。
［２９］前記他の回路はまた、
前記第２のメトリック及び前記最後のＣＳＩ更新から経過した時間に少なくとも基づいて、前記チャネル状態情報要求が前記他の装置へ送信されるべきかを決定するようにも構成された、［２８］に記載の装置。
［３０］前記決定に基づいて、前記ＣＳＩ更新に関する要求を前記他の装置へ送信するように構成された送信機を更に備える、［２６］に記載の装置。
［３１］前記ＣＳＩ更新に関する要求は、トレーニング要求メッセージ又はチャネル測深メッセージのうちの少なくとも１つを備える、［３０］に記載の装置。
［３２］無線通信のための装置であって、
他の装置からの最近のチャネル推定値及び現在のチャネル推定値を取得するための手段と、
前記現在のチャネル推定値又は前記最近のチャネル推定値に少なくとも基づいて第１のメトリックを計算するための手段とを備え、前記第１のメトリックは、前記他の装置からのチャネル状態情報（ＣＳＩ）更新が要求されるべきかを判定するために用いられる装置。
［３３］前記第１のメトリック及び予め定められた基準に少なくとも部分的に基づいて、前記他の装置からのＣＳＩ更新を要求することを決定するための手段を更に備える、［３２］に記載の装置。
［３４］前記ＣＳＩ更新を要求することを決定することは、前記第１のメトリック及び最新のＣＳＩ更新から経過した時間に少なくとも基づく、［３３］に記載の装置。
［３５］前記ＣＳＩ更新を要求することを決定するための手段は、
チャネルの信号対雑音比（ＳＮＲ）及び前記第１のメトリックに基づいて第２のメトリックを計算するための手段と、
前記第２のメトリックに少なくとも部分的に基づいて、チャネル状態情報要求が前記他の装置へ送信されるべきかを決定するための手段とを備える、［３３］に記載の装置。
［３６］前記決定するための手段は、
前記第２のメトリック及び最新のＣＳＩ更新から経過した時間に少なくとも基づいて、前記チャネル状態情報要求が前記他の装置へ送信されるべきかを決定するための手段を備える、［３５］に記載の装置。
［３７］前記決定に基づいて、前記ＣＳＩ更新に関する要求を前記他の装置へ送信するための手段を更に備える、［３３］に記載の装置。
［３８］前記ＣＳＩ更新に関する要求は、トレーニング要求メッセージ又はチャネル測深メッセージのうちの少なくとも１つを備える、［３７］に記載の装置。
［３９］無線通信のためのコンピュータ・プログラム製品であって、
装置からの最近のチャネル推定値及び現在のチャネル推定値を取得し、
前記現在のチャネル推定値又は前記最近のチャネル推定値に少なくとも基づいて第１のメトリックを計算するように実行可能な命令を備えるコンピュータ読取可能媒体を備え、前記第１のメトリックは、前記装置からのチャネル状態情報（ＣＳＩ）更新が要求されるべきかを判定するために用いられるコンピュータ・プログラム製品。
［４０］少なくとも１つのアンテナと、
無線ノードからの最近のチャネル推定値及び現在のチャネル推定値を前記少なくとも１つのアンテナを介して取得するように構成された受信機と、
前記現在のチャネル推定値又は前記最近のチャネル推定値に少なくとも基づいて第１のメトリックを計算するように構成された回路とを備えるアクセス・ポイントであって、前記第１のメトリックは、前記無線ノードからのチャネル状態情報（ＣＳＩ）更新が要求されるべきかを判定するために用いられる、アクセス・ポイント。
【図１】
0005628322.tif 000008
【図２】
0005628322.tif 000009
【図３】
0005628322.tif 000010
【図４】
0005628322.tif 000011
【図５】
0005628322.tif 000012
【図５Ａ】
0005628322.tif 000013
【図６】
0005628322.tif 000014
【図６Ａ】
0005628322.tif 000015
【図７】
0005628322.tif 000016
【図８】
0005628322.tif 000017
【図８Ａ】
0005628322.tif 000018
【図９】
0005628322.tif 000019
【図９Ａ】
0005628322.tif 000020
【図１０】
0005628322.tif 000021
【図１１】
0005628322.tif 000022
【図１１Ａ】
0005628322.tif 000023
【図１２】
0005628322.tif 000024
【図１２Ａ】
0005628322.tif 000025
【図１３】
0005628322.tif 000026
【図１３Ａ】
0005628322.tif 000027
【図１４】
0005628322.tif 000028
【図１４Ａ】
0005628322.tif 000029